(57)【要約】【課題】  冬季等の寒いときに着座した状態で、下半身、特に足元を温めることができ、複数の床置き畳台１を電気的に接続、また、一体化することが可能であり、移動のための車輪７の固定・固定解除が自在である床置き畳台１を提供すること。【解決手段】  畳からなる和風調表面層２１を備えた蓋体２により、上面開口を開閉自在とした箱体３を、単体又は複数併設してなる床置き畳台１であって、前記箱体３の側板３ａ〜３ｄの少なくとも一面にヒーター４０を備えるとともに、前記箱体３の内部に前記ヒーター４０の制御部４１を備えることを特徴とする。【選択図】図１
2014237978.tif 000002
【特許請求の範囲】
【請求項１】
畳からなる和風調表面層を備えた蓋体により、上面開口を開閉自在とした箱体を、単体又は複数併設してなる床置き畳台であって、前記箱体の側板の少なくとも一面にヒーターを備えるとともに、前記箱体の内部に前記ヒーターの制御部を備えることを特徴とする床置き畳台。
【請求項２】
前記ヒーターがＰＴＣヒーターであることを特徴とする請求項１に記載の床置き畳台。
【請求項３】
前記ヒーターに電気を供給するための導電接続装置を前記箱体の内部又は、前記箱体外側面に備えるとともに、併設する２台の箱体の隣接する２枚の側板を下方凹形状の連結具で挟み込み、複数の床置き畳台を連結することを特徴とする請求項１又は２に記載の床置き畳台。
【請求項４】
前記箱体の底部に複数の車輪を配設するとともに、前記箱体の内側又は外側から前記車輪の固定・固定解除を可能として、前記箱体の移動及び配置の固定を可能としたことを特徴とする請求項１から３のいずれか一項に記載の床置き畳台。
【発明の詳細な説明】
【技術分野】
【０００１】
本発明は、床置き畳台に関する。
【背景技術】
【０００２】
従来から洋室内に和室空間を形成するユニットとして、畳からなる和風調表面層を有する床置き畳台が知られている（例えば特許文献１を参照）。
【０００３】
この床置き畳台は、図１１及び図１２に示すように、前後左右の側板３ａ、３ｂ、３ｃ、３ｄ及び底板３ｅからなる箱体３と、畳からなる和風調表面層２１を備えた蓋体２から構成され、蓋体２は、箱体３の上面開口を塞ぐように開閉自在に取り付けられて床置き畳台１を形成する構成となっている。
【０００４】
そして、これら床置き畳台１を単独で、また、複数併設することにより、いす、ベンチ、小上がり等として、種々のレイアウトを可能とし、自由に和風の空間を作ることができる。また、上記の床置き畳台１の構成によれば、箱体３の内部を収納部として使用することができる。
【先行技術文献】
【特許文献】
【０００５】
【特許文献１】２００４−３２４１１１号公報
【発明の概要】
【発明が解決しようとする課題】
【０００６】
このような構成の従来の床置き畳台１は、簡単な構成で、蓋体２を容易に開閉することができ、箱体３の内部を収納部として使用できる点で機能的に非常に優れたものである。しかしながら、この構成の床置き畳台１によれば、冬季等の寒いときにこの床置き畳台に着座した場合、下半身、特に足元が冷えることがあり、これらの点において改良の余地があった。
【０００７】
本発明は、以上のとおりの事情に鑑みてなされたものであり、冬季等の寒いときに着座した状態で、下半身、特に足元を温めることができ、複数の床置き畳台を電気的に接続、また、一体化することが可能であり、移動のための車輪の固定、固定解除が自在である床置き畳台を提供することを課題としている。
【課題を解決するための手段】
【０００８】
本発明は、上記の課題を解決するために、以下のことを特徴としている。
【０００９】
即ち、本発明の床置き畳台は、畳からなる和風調表面層を備えた蓋体により、上面開口を開閉自在とした箱体を、単体又は複数併設してなる床置き畳台であって、前記箱体の側板の少なくとも一面にヒーターを備えるとともに、前記箱体の内部に前記ヒーターの制御部を備えることを特徴とする。
【００１０】
また、この床置き畳台においては、前記ヒーターがＰＴＣヒーターであることが好ましい。
【００１１】
また、この床置き畳台においては、前記ヒーターに電気を供給するための導電接続装置を前記箱体の内部又は、前記箱体外側面に備えるとともに、併設する２台の箱体の隣接する２枚の側板を下方凹形状の連結具で挟み込み、複数の床置き畳台を連結することが好ましい。
【００１２】
また、この床置き畳台においては、前記箱体の底部に複数の車輪を配設するとともに、前記箱体の内側又は外側から前記車輪の固定・固定解除を可能として、前記箱体の移動及び配置の固定を可能とすることが好ましい。
【発明の効果】
【００１３】
本発明の床置き畳台によれば、冬季等の寒いときに着座した状態で、下半身、特に足元を温めることができる。
【図面の簡単な説明】
【００１４】
【図１】本発明の床置き畳台の蓋体を閉じた状態を示す斜視図である。
【図２】本発明の床置き畳台の蓋体を開いた状態を示す斜視図である。
【図３】床置き畳台の導電接続部を示す斜視図である。
【図４】箱体内部の配線を示す概略断面図である。
【図５】本発明の床置き畳台を２台併設し連結した状態を示す斜視図である。
【図６】車輪を設けた床置き畳台を示す斜視図である。
【図７】車輪を設けた床置き畳台の箱体内部状態を示す部分断面斜視図である。
【図８】複数の床置き畳台を一列に連結したレイアウトを示す構成斜視図である。
【図９】複数の床置き畳台をコの字に連結したレイアウトを示す構成斜視図である。
【図１０】複数の床置き畳台を□字状に連結して堀炬燵様に配置したレイアウトを示す構成斜視図である。
【図１１】従来の床置き畳台の蓋体を閉じた状態を示す斜視図である。
【図１２】従来の床置き畳台の蓋体を開いた状態を示す斜視図である。
【発明を実施するための形態】
【００１５】
以下、本発明を実施形態に基づいて詳しく説明する。図１〜７は、本発明の床置き畳台の一実施形態を示した図である。
【００１６】
本発明の床置き畳台の実施形態の基本構成は、図１に示すように、箱体３と、蓋体２及びヒーター４０から構成されている。箱体３は、前後左右の側板３ａ〜３ｄと、底板３ｅから構成されている。
【００１７】
隣接する側板３ａ〜３ｄは、一方の側板３ａ〜３ｄの側端面に他方の側板３ａ〜３ｄの側端面を当接して接着剤、ねじ、Ｌ字金具等により固定されており、これら側板３ａ〜３ｄの下端部は底板３ｅの端面に当接して接着剤、ねじ、Ｌ字金具等により固定され、上面開口を有する頑丈な箱体３を形成している。
【００１８】
この箱体３の上面開口には、蓋体２が開閉自在に設けられている。蓋体２は、天板２０及び、畳からなる和風調表面層（以下、単に畳部と略称する）２１から構成され、天板２０の上面部に畳部２１が固定されている。なお畳としては、畳床の表面に畳表を設けたものや、畳表のみからなるものが挙げられる。
【００１９】
そして、蓋体２の一辺の端部が側板３ｃの上端部に蝶番等を介して接続されており、開閉自在となっている。また、この蓋体２は前述のように閉じることで箱体３の上面開口を塞ぐように構成され、蓋体２は箱体３の上端面に載置されて荷重を各側板３ａ〜３ｄに分散するようになっている。なお、蓋体２は、人がその上に着座しても変形や破損等を生じないように強固に形成されている。
【００２０】
側板３ａ〜３ｄの少なくとも一面には、ヒーター４０が設けられている。このヒーター４０は、熱を前面に放出できる面状のヒーターであり、床置き畳台１に着座した状態で、着座した人の大腿部から下腿部を温めるように、邪魔にならないように設けられている。
【００２１】
本発明の床置き畳台１の実施形態で用いる面状のヒーター４０としては、上記の効果が得られるものであれば特に制限なく用いることができ、例えば、ＰＴＣ（Positive Temperature Coefficient）ヒーター、シーズヒーター、電熱線ヒーター等を用いることができる。本発明では、これらの中でも、安全面等の観点から、駆動電流の供給によって発熱しその発熱の自己制御機能を有するＰＴＣヒーターを用いるのが望ましい。
【００２２】
また、本発明の床置き畳台１の実施形態では、図２に示すように、箱体３の内部にヒーター４０の制御部４１を備えている。この制御部４１は、図４に示すケーブル４２により、前記ヒーター４０と電気的に接続され、ヒーター４０の電源のオン／オフ機能を有している。なお、この制御部４１には、温度制御、タイマー等の機能を付加することができる。
【００２３】
制御部４１の配置場所は、箱体３の内部であれば特に制限はないが、電源スイッチ、各種設定スイッチ等の誤操作等を考慮して、例えば、側板３ａ〜３ｄの箱体３内側に取付けるのが好ましい。
【００２４】
また、本発明の実施形態の床置き畳台１には、複数の箱体３を電気的に接続するための導電接続装置５ａ、５ｂを箱体３の内部又は箱体３外側面に設けることができる。
【００２５】
この導電接続装置５ａ、５ｂは、例えば、図３に示すように、箱体３の側板３ｂ、３ｄ下部に設けられ、隣り合う床置き畳台１同士を電気的に接続できるようになっている。導電接続装置５ａ、５ｂは片側が凹型の導電接続装置５ａ、他の片側板が凸型の導電接続装置５ｂとなっており、床置き畳台１を併設させた状態で互いに隙間なく接続できる構成となっている。なお、隣り合う床置き畳台１の導電接続装置５ａ、５ｂの両側を凹型の導電接続装置５ａとし、間に接続具を配置して接続するようにしてもよい。
【００２６】
また、床置き畳台１をコーナー部に配置するレイアウトを考慮して、対向する側板、例えば３ｂと３ｄ以外の側板、例えば、図２における側板３ｂと３ｃ、又は３ｄと３ｃに設けることもできる。
【００２７】
導電接続装置５ａ、５ｂの配線は種々設定することができ、例えば、図４に示すように凹の型導電接続装置５ａから入力された電気を、一旦、ケーブル５ｃにより箱体３内部の制御部４１に入力させ、制御し、ケーブル５ｄにより出力して凸型の導電接続装置５ｂから出力させるようにすることができる。
【００２８】
また、電気供給側の末端の床置き畳台１に設けた凹型の導電接続装置５ａには、コンセント等から規定の電力の電気を供給するためのケーブルが接続され、電気的に接続された全ての床置き畳台１のヒーター４０を安定して稼働することができる。
【００２９】
なお、終端の床置き畳台１の凸型の導電接続装置５ｂには、安全のため、カバーソケット等を被せるようにしたり、終端用の床置き畳台１として、凸型の導電接続装置５ｂを設けない仕様とすることもできる。
【００３０】
また、本発明の床置き畳台１の実施形態では、図５に示すように、蓋体２を開いた状態で隣りあった２台の床置き畳台１同士の、隣接する側板３ｄと３ｂを、下方凹形の連結具６で挟み込むことにより、強固に機械的に連結することができる。この下方凹形の連結具６により機械的に連結することにより、床置き畳台１の移動等により発生する可能性のある接続した導電接続装置５ａ、５ｂの破損等を防止することができる。
【００３１】
なお、この下方凹形状の連結具６の上部は、薄板状に形成されており、蓋体２を閉じた状態でも箱体３上面開口と蓋体２との間に隙間ができることはない。
【００３２】
上記の導電接続装置５ａ、５ｂ及び、下方凹形状の連結具６を用いて床置き畳台１を接続することにより、複数の床置き畳台１を電気的にも機械的にも一体化することができる。
【００３３】
また、本発明の床置き畳台１の実施形態では、図６、７に示すように、箱体３の底部に複数の車輪７を配設することができる。この車輪７は、床置き畳台１を配置するときの移動や、導電接続装置５ａ、５ｂの接続時の移動のために設けられるものであり、図６、７に示すような埋め込み型の車輪７の他、通常公知の自在型キャスター、固定型キャスター、ボールキャスター等とすることもできる。
【００３４】
また、この車輪７は、そのタイプに応じて蓋体２を開けて箱体３の内側から車輪７の固定・固定解除を行ったり、箱体３の外側から車輪７の固定・固定解除を行ったりすることができる。
【００３５】
なお、この車輪７は、必ずしも全ての車輪７を固定・固定解除が可能な車輪７とする必要はなく、例えば、設置において想定される前側の車輪７、あるいは後ろ側の車輪７のいずれか２個のみを固定・固定解除が可能な車輪７とすることができる。
【００３６】
上記の車輪７を設けることにより、床置き畳台１の設置時にはスムーズに移動させることができるため、短時間での設置が可能となり、また、設置位置が決定した時点で車輪７を固定して配置固定ができるため、着座後に床置き畳台１が動くことがない。
【００３７】
以上、実施形態に基づき本発明の床置き畳台を説明したが、本発明は上記の実施形態に何ら限定されるものではなく、その要旨を逸脱しない範囲内において各種の変更が可能である。
【００３８】
上記で説明した本発明の床置き畳台１の実施形態では、複数台を、電気的、機械的に自由に接続ができ、自由にレイアウトすることができる。具体的には、例えば、図８に示すように床置き畳台１を一列にレイアウトしたり、図９に示すようにコ字型にレイアウトすることができる。
【００３９】
また、図１０に示すように、ヒーター４０を中央に向けて□字形にレイアウトし、床置き畳台１に囲まれた中央の空間に机８を配置して掘り炬燵として使用することもできる。なおレイアウトするときは、ヒーター４０を備えない床置き畳台１を一緒に並べてもよく、蓋体２が固定され、引き出しを備えた床置き畳台１を並べてもよい。
【符号の説明】
【００４０】
１  床置き畳台
２  蓋体
２１  畳からなる和風調表面層
３  箱体
３ａ〜３ｄ  側板
４０  ヒーター
４１  制御部
５ａ  凹型の導電接続装置
５ｂ  凸型の導電接続装置
６  連結具
７  車輪
【図１】
2014237978.tif 000003
【図２】
2014237978.tif 000004
【図３】
2014237978.tif 000005
【図４】
2014237978.tif 000006
【図５】
2014237978.tif 000007
【図６】
2014237978.tif 000008
【図７】
2014237978.tif 000009
【図８】
2014237978.tif 000010
【図９】
2014237978.tif 000011
【図１０】
2014237978.tif 000012
【図１１】
2014237978.tif 000013
【図１２】
2014237978.tif 000014